(57)【要約】 【課題】  従来の床置き式の全熱交換器式換気扇においては、ダクトの接続部を上面に設けているので、給気用送風機や排気用送風機を全熱交換器の上部に設けるための空間が必要となり、全熱交換器式換気扇全体の大きさが大きくなるという問題があった。【解決手段】  全熱交換器式換気扇は、六角柱の対向流型全熱交換器５が略中央に収納されている直方体の対向流型全熱交換器室１０において、直方体の対向流型全熱交換器室１０内の対角に一組の略三角柱の送風機収納室２６、３６が設けられている。【選択図】図３
2015087058.tif 000002
【特許請求の範囲】
【請求項１】
六角柱の対向流型全熱交換器が略中央に収納されている直方体の対向流型全熱交換器室において、前記直方体の対向流型全熱交換器室内の対角に一組の略三角柱の送風機収納室が設けられていることを特徴とする全熱交換器式換気扇。
【請求項２】
六角柱の対向流型全熱交換器が略中央に収納されている直方体の対向流型全熱交換器室において、一組の送風機収納室が前記六角柱の対向流型全熱交換器の空気の出入りを行わない対向する一組の側面に隣接するように設けられていることを特徴とする全熱交換器式換気扇。
【請求項３】
前記直方体の対向流型全熱交換器室内は前記六角柱の対向流型全熱交換器の周囲を取り囲むように前記一組の送風機収納室を含めて六つに区画された室が設けられ、前記一組の送風機収納室の各々には前記対向流型全熱交換器の出口側の面に設けられている二つの室とを結ぶ二つの風路が設けられており、前記二つの風路が前記対向流型全熱交換器室外に設けられていることを特徴とする請求項１または請求項２記載の全熱交換器式換気扇。
【請求項４】
前記直方体の対向流型全熱交換器室の下部に調湿器室が設けられていることを特徴とする請求項３記載の全熱交換器式換気扇。
【発明の詳細な説明】
【技術分野】
【０００１】
本発明は、屋内空気を換気する際に全熱交換器を用いて屋外空気と屋内空気の間で熱および水分を交換することで屋内空気の温度と湿度の変化が少ない全熱交換器式換気扇に関する。
【背景技術】
【０００２】
従来、全熱交換器を利用した換気扇としては、特許文献１に記載されたものがある。従来の特許文献１に記載されているものは全熱交換器を上下２段に重ねると共に、全熱交換器の上部に送風機収納室を設けたものであった。
【０００３】
全熱交換器式換気扇に強制的に換気を行うための送風機を設ける場合に、送風機により全熱交換器式換気扇の内部が負圧になる方が内部からの空気漏れが防止できるため、全熱交換器式換気扇内部に形成される給気側の流路と排気側の流路の下流側の近傍に給気用送風機と排気用送風機とを夫々設けることが一般的であった。なお、特許文献１においても前述のような構成になっている。
【０００４】
全熱交換器式換気扇には、屋外や屋内を結ぶダクトが接続されるために、インテリアとしての要素も無く、全熱交換器式換気扇の筐体の形状については、平面を組み合わせた筐体になることによる組み立て易さや、屋内や屋外の設置空間例えば、物置部屋の隅などの四角の空いた部分に最も無駄のない設置が可能となる、直方体の形状にされることが一般的であった。
【０００５】
全熱交換器式換気扇に使用される。給気用送風機と排気用送風機については、ダクトを使用して複数の部屋の給気や排気を行うための、適正な風量や風圧が得られると同時に、住環境をより良いものにするために運転音が静かなシロッコファンが使用される場合が多かった。
【０００６】
シロッコファンは別名多翼送風機とも呼ばれ、遠心送風機の一種であり、多数の小型の湾曲した羽根が筒状に形成された羽根部の全体が、ケーシングに納められている。ケーシングの外部または内部には電動機が設けられており、電動機の回転軸と連結された羽根部が回転することにより、送風機としての機能を発揮する。シロッコファンが運転すると、羽根部の円筒の円形に近い大きさで開けられたケーシングの吸込み口から、羽根部の円筒の内側に向かって空気が吸い込まれ、ケーシングの側面に設けられた送風口から、羽根部により遠心方向に押し出された空気が送風される。
【０００７】
電動機は羽根部が納められたケーシングの大きさと比較して、小さい場合が普通であるが、ケーシングの外部に電動機を設けるとシロッコファン全体の大きさが大きくなる。そのため、電動機をケーシングの内部で筒状の羽根部の内側に設けることで、全体の厚みを薄くした薄型のシロッコファンがある。シロッコファン及び薄型シロッコファンにおいては、ケーシングの吸込み口側は、空気の吸込みを阻害しないための所定の大きさの空間が必要である。また、薄型シロッコファンでは、ケーシングの厚みと電動機の能力の組み合わせによっては、電動機が吸込み口から、ケーシングの外部に突出させた形状になる場合もあった。
【０００８】
全熱交換器については、従来は外形が直方体の直交流型全熱交換器が主流であったが、近年、熱交換効率（熱回収率）が良い、外形が六角柱の対向流型全熱交換器が使用されて来ている。直交流型全熱交換器も対向流型全熱交換器も全熱交換器の内部で、屋外からの空気と屋内からの空気が、伝熱性と透湿性を有したシートを介して接触することで、一方から他方に全熱が移動することで全熱が交換されている。屋外空気と屋内空気の接触できる部分を平行に近い形状として、シートを介した接触が長い距離で行える形状としていることで、対向流型全熱交換器の方が、直交流型全熱交換器に比較して、熱交換効率が良くなっている。
【０００９】
そのため、対向流型全熱交換器の外形の六角柱の側面の内の、四つの側面は直交流型全熱交換器と同様の屋外空気および屋内空気の出入り口となるが、残りの二つの側面は、空気の出入りが行われない閉止された面として形成されていた。そして、空気の出入りが行われない二つの面は、屋外および屋内の空気が通過する構造により対向した面になっている。
【００１０】
全熱交換器式換気扇の内部において、全熱交換器と、給気用送風機および排気用送風機との配置空間を特許文献１のように垂直方向に上下に配置するのではなく、同じ平面に配置する場合においては、全熱交換器の空気が通過した後の出口側に給気用送風機および排気用送風機を配置することになるため、水平方向に細長く広げる必要がある。また、対向流型全熱交換器においては、空気の出入りが行われない二つの面を有しているので、対向流型全熱交換器の形状上その傾向が増すものとなっていた。
【先行技術文献】
【特許文献】
【００１１】
【特許文献１】特開２００９−９２２９９号公報
【発明の概要】
【発明が解決しようとする課題】
【００１２】
従来の床置き式の全熱交換器式換気扇においては、ダクトの接続部を上面に設けているので、給気用送風機や排気用送風機を全熱交換器の上部に設けるための空間が必要となり、全熱交換器式換気扇全体の大きさが大きくなるという問題があった。
【００１３】
なお、全熱交換器のダクトの接続部を水平方向に設ける方法もあるが、設置面積が大きくなることで床置きに適さず、天井に設置または天井に吊るす方法で設置することになり、設置工事やメンテナンスが床置き式に比較して難しいという問題があった。
【課題を解決するための手段】
【００１４】
上記の課題を解決するため、本発明では、次の技術的手段を講じている。
【００１５】
第１発明の全熱交換器式換気扇は、六角柱の対向流型全熱交換器が略中央に収納されている直方体の対向流型全熱交換器室において、前記直方体の対向流型全熱交換器室内の対角に一組の略三角柱の送風機収納室が設けられていることを特徴としている。
【００１６】
第２発明の全熱交換器式換気扇は、六角柱の対向流型全熱交換器が略中央に収納されている直方体の対向流型全熱交換器室において、一組の送風機収納室が前記六角柱の対向流型全熱交換器の空気の出入りを行わない対向する一組の側面に隣接するように設けられていることを特徴としている。
【００１７】
第３発明の全熱交換器式換気扇は、請求項１または請求項２記載の発明において、前記直方体の対向流型全熱交換器室内は前記六角柱の対向流型全熱交換器の周囲を取り囲むように前記一組の送風機収納室を含めて六つに区画された室が設けられ、前記一組の送風機収納室の各々には前記対向流型全熱交換器の出口側の面に設けられている二つの室とを結ぶ二つの風路が設けられており、前記二つの風路が前記対向流型全熱交換器室外に設けられていることを特徴としている。
【００１８】
第４発明の全熱交換器式換気扇は、請求項３記載の発明において、前記直方体の対向流型全熱交換器室の下部に調湿器室が設けられていることを特徴とる。
【発明の効果】
【００１９】
以上のような、技術的手段を有することにより、以下の効果を有する。
【００２０】
第１発明によれば、六角柱の対向流型全熱交換器が略中央に収納さている直方体の対向流型全熱交換器室において、前記直方体の対向流型全熱交換器室内の対角に一組の略三角柱の送風機収納室が設けられていることで、
送風機収納室内に羽根のケーシングから電動機が張り出した送風機を有効に収納することが可能となり、対向流型全熱交換器室内の平面形状を水平方向に広げないと共に平面面積も余り広げることも無く、上部に給気用送風機と排気用送風機を配置するための室を設ける必要がないので、全熱交換器式換気扇の外形寸法を小さくすることができる。
【００２１】
第２発明によれば、六角柱の対向流型全熱交換器が略中央に収納されている直方体の対向流型全熱交換器室において、一組の送風機収納室が前記六角柱の対向流型全熱交換器の空気の出入りを行わない対向する一組の側面に隣接するように設けられていることで、
六角柱の対向流型全熱交換器の空気が通過しない対向する二つの側面を有効に利用することが可能となり、対向流型全熱交換器室内の平面形状を水平方向に広げないと共に平面面積も余り広げることも無く、上部に給気用送風機と排気用送風機を配置するための室を設ける必要がないので、全熱交換器式換気扇の外形寸法を小さくすることができる。
【００２２】
第３発明によれば、第１発明または第２発明を利用し、前記直方体の対向流型全熱交換器室内は前記六角柱の対向流型全熱交換器の周囲を取り囲むように前記一組の送風機収納室を含めて六つに区画された室が設けられ、前記一組の送風機収納室の各々には前記対向流型全熱交換器の出口側の面に設けられている二つの室とを結ぶ二つの風路が設けられており、前記二つの風路が前記対向流型全熱交換器室外に設けられていることで、
全熱交換器式換気扇の外形寸法を小さくしたままで、調湿装置を設けることが容易に行えるようになる。
【００２３】
第４発明によれば、第３発明を利用し、前記対向流型全熱交換器室の下部に調湿器室が設けられたことで、
全熱交換器式換気扇の設置面積を増加させずに湿度調節機能を追加することができる。
【図面の簡単な説明】
【００２４】
【図１】本発明に係る実施例１の全熱交換器式換気扇の外観図である。
【図２】本発明に係る実施例１の全熱交換器式換気扇の構成を説明するための分解図である。
【図３】本発明に係る実施例１の対向流型全熱交換器室内部での送風機の配置の説明図である。
【図４】本発明に係る実施例１の全熱交換器式換気扇の送風機収納室における送風機の収納状態の説明図である。
【図５】本発明に係る実施例１の全熱交換器式換気扇の対向流型全熱交換器室の内部を上方から見た場合の説明図である。
【図６】本発明に係る実施例１の全熱交換器式換気扇の構造を模式図である。
【図７】本発明に係る実施例２の全熱交換器式換気扇の構成を説明するための分解図である。
【図８】本発明に係る実施例２の全熱交換器式換気扇の構造を模式図である。
【発明を実施するための形態】
【００２５】
発明を実施する形態について、図面に基づいて具体的に説明する。
【実施例１】
【００２６】
図１で示すように、本発明の全熱交換器式換気扇１の外形は、略直方体に形成されている。美観の面や、屋内や屋外の設置空間で最も無駄のない設置が可能となるためである。
全熱交換器式換気扇１の上面（天面）側には、屋外および屋内とダクトを結ぶための外気口５１、給気口５２、還気口５３と排気口５４とが設けられている。また、全熱交換器式換気扇１の側面の一方にはエアーフィルター蓋９０が設けられている。全熱交換器式換気扇１は、主要な構成部材の単位で大きく分けると上方より、ダクト接続部５０、フィルター室４０、対向流型全熱交換器室１０、風路室２０と置き台６０とに分割することができる。
【００２７】
この主要な構成部材の単位で分割された全熱交換器式換気扇１を図２にしめす。図２の上側より説明すると、ダクト接続部５０については、図１と同様に外気口５１等が設けられている。フィルター室４０は、ダクト接続部５０の外気口５１等と、後述する対向流型全熱交換器室１０内部で分割されている各室を連接するための、外気風路４１、給気出口風路４２、還気風路４３と排気出口風路４４が設けられている。フィルター室４０のエアーフィルター蓋９０を外すとフィルター室４０の内部に、外気フィルター９１と、還気フィルター９２が取り付けられている。外気フィルター９１の外気風路４１を横断する位置にエアーフィルター９３が設けられている。また、還気フィルター９２の還気風路４３を横断する位置にエアーフィルター９４が設けられている。
【００２８】
対向流型全熱交換器室１０の中央には六角柱の対向流型全熱交換器５が設けられており、対向流型全熱交換器５から対向流型全熱交換器室１０の側方に向かって複数の仕切板が設けられており、六つの室が形成されている。この対向流型全熱交換器室１０の詳細については、後述する。
【００２９】
風路室２０は、対向流型全熱交換器室１０の下部において、対向流型全熱交換器室１０の内部に形成された六つの室の任意の２組の室を結ぶために設けられている。風路室２０の内部は、給気風路２４と排気風路３４の二つの風路に仕切られている。給気風路２４の入口側には給気風路入口２３が、出口側には給気風路出口２５が設けられている。排気風路３４の入口側には排気風路入口３３が、出口側には排気風路出口３５が設けられている。
【００３０】
置き台６０は、全熱交換器式換気扇１の下部において、上部の各部材が組み付けられて所定の強度を持って支えるための部材である。また、図示は省略するが、置き台６０には、床面に全熱交換器式換気扇１を安定して設置できるためのアンカー孔や、水平調整用の脚等が設けられている。
【００３１】
図３において、対向流型全熱交換器室１０に形成されている六つの室について説明する。図３は、対向流型全熱交換器室１０の周囲を覆う４枚の側板４６〜４９を取り除いた状態を示す図である。対向流型全熱交換器５との関係や、区切られた部分の六つの室の形状が判るように、想像線（２点鎖線）で、六つの室の形状を対向流型全熱交換器室１０から離した状態で示している。また、六つの室には引き出し線に依らずその箇所に下線を付けた符号を附して示している。
【００３２】
対向流型全熱交換器５は六角柱の外形であり、六つの側面を有している。六つの側面には、屋外からの空気が対向流型全熱交換器５に流入する給気入口面１１と、屋外からの空気が対向流型全熱交換器５から流出する給気出口面１２と、屋内からの空気が対向流型全熱交換器５に流入する排気入口面１３と、屋内からの空気が対向流型全熱交換器５から流出する排気出口面１４と、対向流型全熱交換器５の側面の内最も広い対向した一組の面で、空気の出入りの無い壁となる仕切面１５と、仕切面１６とが設けられている。
【００３３】
対向流型全熱交換器５は対向流型全熱交換器５の内部において、給気入口面１１から給気出口面１２へと後述する給気送風機７ａによって流れる屋外からの空気と、排気入口面１３から排気出口面１４へ排気送風機７ｂによって流れる屋内からの空気とを仕切る伝熱性と透湿性を有したシートを内部に備えており、前記の伝熱性と透湿性を有したシートを介して、屋外からの空気と屋内からの空気の間で、空気の顕熱だけでなく空気に含まれる水分の潜熱をも含む全熱を交換している。屋外空気と屋内空気が伝熱性と透湿性を有したシートを介して接触できる箇所が所定の長さの平行に近い構造とされていることで、所定の長さでの熱交換が可能となり熱交換効率が向上している。
【００３４】
対向流型全熱交換器５からは、給気入口面１１と排気出口面１４との間を仕切る仕切板６１が、給気出口面１２と排気入口面１３との間を仕切る仕切板６２が、設けられている。また、仕切面１５に密接した仕切板６３が設けられ、仕切板６３の排気入口面１３側の端を鈍角に折り曲げて仕切板６４とすることで、仕切板６３と仕切板６４により排気入口面１３側が仕切られており、仕切板６３の給気入口面１１側の端を鈍角に折り曲げて仕切板６５とすることで、仕切板６３と仕切板６５により給気入口面１１側が仕切られている。
【００３５】
同様に、仕切面１６に密接した仕切板６６が設けられ、仕切板６６の排気出口１４側の端を鈍角に折り曲げて仕切板６７とすることで、仕切板６６と仕切板６７により排気出口１４側が仕切られており、仕切板６６の給気出口面１２側の端を鈍角に折り曲げて仕切板６８とすることで、仕切板６６と仕切板６８により給気出口面１２側が仕切られている。
【００３６】
そして、仕切板６１〜６８と、２点鎖線で示されている対向流型全熱交換器室１０の周囲を囲む側板４６〜４９により、六つの室が形成されている。仕切板６１と仕切板６５との間において給気室２１が、仕切板６２と仕切板６８との間において給気風路入口室２２が、仕切板６２と仕切板６４との間において排気室３１が、仕切板６１と仕切板６７との間において排気風路入口室３２が、設けられている。また、仕切板６３〜６５で囲まれた給気用送風機収納室２６が、仕切板６６〜６８で囲まれた排気用送風機収納室３６が、設けられている。
【００３７】
さらに、六つの室は対向流型全熱交換器５の六つの側面に対応しており、給気室２１は給気入口面１１と連通し、給気風路入口室２２は給気出口面１２に連通し、排気室３１は排気入口面１３と連通し、排気風路入口室３２は排気出口面１４と連通している。また、給気用送風機収納室２６は仕切板６３を介して仕切面１５に接しており、排気用送風機収納室３６は仕切板６６を介して仕切面１６に接している。
【００３８】
以上の内容から対向流型全熱交換器室１０の内部に設けられた六つの室と、フィルター室４０と風路室２０とが連接されている状態について説明する。給気室２１と外気風路４１が連接し、給気風路入口室２２と給気風路２４は給気風路入口２３を介して連接し、給気用送風機収納室２６と給気風路２４は給気風路出口２５を介して連接すると共に、フィルター室４０側は給気出口風路４２と連接している。排気室３１と還気風路４３が連接し、排気風路入口室３２と排気風路３４は排気風路入口３３を介して連接し、排気用送風機収納室３６と排気風路３４は排気風路出口３５を介して連接すると共に、フィルター室４０側は排気出口風路４４と連接している。
【００３９】
図３の２点鎖線で示されているように、給気用送風機収納室２６の空間は対向流型全熱交換器室１０の側板４６、４７の２枚と仕切板６３に、排気用送風機収納室３６の空間は対向流型全熱交換器室１０の側板４８、４９の２枚と仕切板６６に囲まれるため、略三角柱の空間が形成されている。また、給気用送風機収納室２６と排気用送風機収納室３６は、対向流型全熱交換器５の対向する二つの仕切面１５と１６に接しているため対向流型全熱交換器室１０の内部の対角に形成されていることになる。
【００４０】
給気用送風機収納室２６における給気送風機７ａの収納状態と、排気用送風機収納室３６における排気送風機７ｂの収納状態について図４を用いて説明する。給気送風機７ａと排気送風機７ｂは、薄型のシロッコファンであり、薄い直方体のケーシング７１に納められた多翼の羽根（図示せず。）の内側に電動機７２が取り付けられており、電動機７２の周囲に吸い込み口７３が設けられており、ケーシング７１の上面には、吹き出し口７４が設けられている。
【００４１】
給気用送風機収納室２６における給気送風機７ａが収納されている位置は、電動機７２が取り付けられている側面に向かい合うケーシング７１の側面を仕切板６３に密着するように取り付けられている。すると、給気送風機７ａの電動機７２および電動機７２の周囲に設けられた吸い込み口７３については、給気用送風機収納室２６内部の略三角柱の空間の二つの側面で形成されている角の部分に納まるように設けられていることになり、ケーシング７１から突出した電動機７２を邪魔することなく収納できる共に、給気送風機７ａの吸い込み口７３の周囲の空気の吸込みを阻害しない空間を確保することが可能となっている。
【００４２】
また同様に、排気用送風機収納室３６における排気送風機７ｂが収納されている位置は、電動機７２が取り付けられている側面に向かい合うケーシング７１の側面を仕切板６６に密着するように取り付けられている。すると、排気送風機７ｂの電動機７２および電動機７２の周囲に設けられた吸い込み口７３については、排気用送風機収納室３６内部の略三角柱の空間の二つの側面で形成されている角の部分に納まるように設けられていることになり、ケーシング７１から突出した電動機７２を邪魔することなく収納できる共に、排気送風機７ｂの吸い込み口７３の周囲の空気の吸込みを阻害しない空間を確保することが可能となっている。
【００４３】
なお、屋内、特に一般住宅の屋内に全熱交換器式換気扇１のような床置き器具を設置する場合に、設置できる場所が重要となる。全熱交換器式換気扇１については、住人が居住に使用する居間や寝室等に設置しても良いが、押し入れ、クローゼット、物置部屋等に設置できれば居住空間を狭めないので好ましいことになる。そして、全熱交換器式換気扇１を設置する場合には、床に占める形状が正方形若しくは正方形に近い形状にされている方が良い。
【００４４】
なぜなら、前記の押し入れ等の二方向または三方向が囲まれる場所に設置する場合に、全熱交換器式換気扇１のメンテナンスや操作を行うための側面を、壁等に囲まれて無い開放空間に向けて設置することが容易になることと、全熱交換器式換気扇１の上面に設けられているダクト接続部５０に取り付けるダクトの屋外や屋内の各部屋に対応させることを考慮して全熱交換器式換気扇１を設置することが容易になるためである。
【００４５】
図５は、全熱交換器式換気扇１の対向流型全熱交換器室１０の内部を上方から見た場合の説明図である。対向流型全熱交換器室１０の上面から見た形状は、正方形若しくは正方形に近い形状になっており、対向流型全熱交換器５は、対向流型全熱交換器室１０の中央で、対向流型全熱交換器室１０の側板４６〜４９には、接触しない状態で配置されている。対向流型全熱交換器５は、上方から見ると、仕切面１５、１６の長さが長い六角形で、対向流型全熱交換器５の給気入口面１１、給気出口面１２、排気入口面１３、排気出口面１４と仕切面１５、１６の六つの側面の何れもが対向流型全熱交換器室１０の側板４６〜４９と平行にならない位置に配置されている。
【００４６】
また、給気用送風機７ａが収納された給気用送風機収納室２６と、排気用送風機７ｂが収納された排気用送風機収納室３６は、対向流型全熱交換器室１０の内部において、対角であると同時に、対向流型全熱交換器室１０の中心で点対称となるような配置で、対向流型全熱交換器５の空気の出入りの無い壁となる仕切面１５と、仕切面１６に接するように配置されている。
【００４７】
以上のような、配置が行われていることで、前述のように、全熱交換器式換気扇１の設置場所の床に占める形状に関連する、対向流型全熱交換器室１０の形状が前述のように設置するのに適した正方形若しくは正方形に近い形状として形成された上で、対向流型全熱交換器室１０の内部に対向流型全熱交換器５を中心として全熱交換器式換気扇１の機能を発揮させるのに必要となる六つの室を適切に配置が可能となっている。
【００４８】
なお、実施例１の全熱交換器式換気扇１においては、排気出口面１４を給気入口、
排気入口面１３を給気出口として、逆に給気出口面１２を排気入口、給気入口面１１を排気出口とすることも可能である。その場合は、排気風路入口室３２が給気室に、排気室３１が給気風路入口室に、給気風路入口室２２が排気室に、給気室２１が排気風路入口室になる。
【００４９】
図６を用いて、全熱交換器式換気扇１の換気方法について説明する。図６は全熱交換器式換気扇１の構造を模式的に表したもので、構造について説明した図２乃至図５の構造とは異なる表し方、例えば、給気用送風機収納室２６が仕切り面１５から離れた場所とし、排気用送風機収納室３６が仕切り面１６から離れた場所としている。これは、屋外から屋内へと流れる空気（太い矢印付の線）と屋内から屋外へ流れる空気（細い矢印付の線）の流れる状態を説明するために表現しているためである。図６の左側には、図２と同様に上から、ダクト接続部５０、フィルター室４０、対向流型全熱交換器室１０と風路室２０の区分けが判るように記載してある。なお、図６の室や風路として説明している空間に該当する箇所は、引き出し線に依らずその箇所に符号を附して表している。
【００５０】
屋外からの空気は、全熱交換器式換気扇１の給気用送風機７ａが駆動することで、外気口５１から、全熱交換器式換気扇１の内部に入る。外気口５１から、外気風路４１に入り、外気風路４１に設けられた外気フィルター９１のエアーフィルター９３によって、外気に含まれる塵埃が除去される。外気風路４１から給気室２１に入り、給気室２１に面している対向流型全熱交換器５の給気入口面１１から、対向流型全熱交換器室５の内部に入り、内部で後述する屋内からの空気との間で全熱の移動が行われる。
【００５１】
熱交換が行われた、屋外からの空気は、対向流型全熱交換器５の内部を給気出口面１２から出て、給気出口面１２と隣接する給気風路入口室２２に入る。給気風路入口室２２に入った屋外からの空気は、給気風路入口室２２の下部に面している給気風路入口２３から給気風路２４に入り、給気風路２４を通過した後、給気風路出口２５から、給気用送風機収納室２６に入る。給気用送風機収納室２６に入った屋外からの空気は、給気用送風機収納室２６に設けられた給気用送風機７ａに吸い込まれると同時に送りだされ、給気出口風路４２を通過して、給気口５２から屋内に送られる。この一連の屋外からの空気の流れにより、塵埃を除去した新鮮な屋外からの空気が、屋内の室温や湿度に変化を及ぼさないように全熱が交換された状態にして屋内に供給するという換気動作が行われる。
【００５２】
屋内からの空気は、全熱交換器式換気扇１の排気用送風機７ｂが駆動することで、還気口５３から、全熱交換器式換気扇１の内部に入る。還気口５３から、還気風路４３に入り、還気風路４３に設けられた還気フィルター９２のエアーフィルター９４によって、屋内からの空気に含まれる塵埃が除去される。還気風路４３から排気室３１に入り、排気室３１に面している対向流型全熱交換器５の排気入口面１３から、対向流型全熱交換器室５の内部に入り、内部で屋外からの空気との間で全熱の移動が行われる。
【００５３】
熱交換が行われた、屋内からの空気は、対向流型全熱交換器５の内部を排気出口面１４から出て、排気出口面１４と隣接する排気風路入口室３２に入る。排気風路入口室３２に入った屋内からの空気は、排気風路入口室３２の下部に面している排気風路入口３３から排気風路３４に入り、排気風路３４を通過した後、排気風路出口３５から、排気用送風機収納室３６に入る。排気用送風機収納室３６に入った屋内からの空気は、排気用送風機収納室３６に設けられた排気用送風機７ｂに吸い込まれると同時に送りだされ、排気出口風路４４を通過して、排気口５４から屋外に送られる。この一連の屋内からの空気の流れにより、塵埃を除去した後の屋内の汚れた空気が、屋外からの新鮮な空気に全熱が交換された後に屋外に排出される。
【実施例２】
【００５４】
図７を用いて実施例２について説明する。図７は主要な構成部材の単位で分割された全熱交換器式換気扇２の図である。図７は、実施例１の図２と同様な構成単位で表しており、実施例２の全熱交換器式換気扇２は、実施例１の全熱交換器式換気扇１の風路室２０を調湿器室７０に変更したものであり、ダクト接続部５０、フィルター室４０、対向流型全熱交換器室１０と置き台６０については同一であるので、実施例１と同一の符号を附して説明を省略する。
【００５５】
調湿器室７０は、実施例１の風路室２０と同様に対向流型全熱交換器室１０と連接する上面側には、給気風路入口２３、給気風路出口２５、排気風路入口と３３排気風路出口３５が設けられている。調湿器室７０の内部は、給気風路入口２３と給気風路出口２５を結ぶ給気風路７１と、排気風路入口と３３排気風路出口３５を結ぶ排気風路７２が調湿器室７０の内部を２分割する様に形成されている。
【００５６】
調湿器室７０の内部を２分割する給気風路７１と排気風路７２には、給気風路７１排気風路７２とを横断するように、デシカントローター方式の調湿器７３が設けられている。なお、給気風路７１には、調湿器７３の上流側に、除湿時においては通過空気プレ冷却用で、加湿時においては再生加熱用の熱交換器７４、調湿器７３の下流側に屋内空気の暖房または冷房のための調温用熱交換器７５が設けられている。また、排気風路７２には、調湿器７３の上流側に、除湿時においては再生加熱用で、加湿時においては通過空気プレ冷却用の熱交換器７６（図７においては図示せず、図８を参照）、調湿器７３の下流側に、除湿時においては放熱用で、加湿時においては排熱回収用の熱交換器７７（図７においては図示せず、図８を参照）が設けられている。
【００５７】
なお、熱交換器７４、調温用熱交換器７５、熱交換器７６と熱交換器７７については、水・不凍液等の熱媒体やアンモニア・二酸化炭素・フロン等の冷媒により加熱、冷却や熱回収を行っており、水の加熱や冷却のための熱源や冷却器、冷媒の蒸発や凝縮を行わせるための圧縮機等については、全熱交換器式換気扇２の下部に設けるようにしても良いし、全熱交換器式換気扇２の設置場所とは分離して屋外等に設け、配管で熱媒体や冷媒を循環させるようにしても良い。
【００５８】
調湿器室７０の内部においては、調湿器７３、熱交換器７４、調温用熱交換器７５、熱交換器７６と熱交換器７７を設けるためのスペースを確保するためには、給気風路入口２３、給気風路出口２５、排気風路入口と３３と排気風路出口３５をできるたけ、調湿器室７０の両端に設けられている方が好ましい構造となる。図３で示している対向流型全熱交換器室１０内の配置に対応させて、給気風路入口２３、給気風路出口２５、排気風路入口と３３と排気風路出口３５は設けられていることから、対向流型全熱交換器室１０内部の六つの室の配置が調湿器室７０を設けた全熱交換器式換気扇２に適した配置となっている。
【００５９】
図８を用いて、全熱交換器式換気扇２の換気方法について説明する。図８は全熱交換器式換気扇２の構造を模式的に表したもので、構造については実施例１と同様に異なる表し方で説明している。また、図６と同様に、屋外から屋内へと流れる空気（太い矢印付の線）と屋内から屋外へ流れる空気（細い矢印付の線）で表現している。図８の左側には、図６と同様に上から、ダクト接続部５０、フィルター室４０、対向流型全熱交換器室１０と調湿器室７０の区分けが判るように記載してある。なお、図８の室や風路として説明している空間に該当する箇所は、引き出し線に依らずその箇所に符号を附して表している。
【００６０】
屋外からの空気は、全熱交換器式換気扇２の給気用送風機７ａが駆動することで、外気口５１から、全熱交換器式換気扇２の内部に入る。外気口５１から、外気風路４１に入り、外気風路４１に設けられた外気フィルター９１のエアーフィルター９３によって、外気に含まれる塵埃が除去される。外気風路４１から給気室２１に入り、給気室２１に面している対向流型全熱交換器５の給気入口面１１から、対向流型全熱交換器室５の内部に入り、内部で後述する屋内からの空気との間で全熱の移動が行われる。
【００６１】
熱交換が行われた、屋外からの空気は、対向流型全熱交換器５の内部を給気出口面１２から出て、給気出口面１２と隣接する給気風路入口室２２に入る。給気風路入口室２２に入った屋外からの空気は、給気風路入口室２２の下部に面している給気風路入口２３から
調湿器室７０の給気風路７１に入る。給気風路７１には、熱交換器７４、調湿器７３、調温用熱交換器７５が設けられており、熱交換器７４、調湿器７３、調温用熱交換器７５を通過した後、給気風路出口２５から、給気用送風機収納室２６に入る。
【００６２】
給気用送風機収納室２６に入った屋外からの空気は、給気用送風機収納室２６に設けられた給気用送風機７ａに吸い込まれると同時に送りだされ、給気出口風路４２を通過して、給気口５２から屋内に送られる。この一連の屋外からの空気の流れにより、塵埃を除去した新鮮な屋外からの空気が、屋内の室温や湿度に変化を及ぼさない全熱が交換されると共に、加湿、除湿等の湿度調整や、暖房、冷房等の温度調整も行われた状態にして屋内に供給するという換気が行われる。
【００６３】
屋内からの空気は、全熱交換器式換気扇２の排気用送風機７ｂが駆動することで、還気口５３から、全熱交換器式換気扇２の内部に入る。還気口５３から、還気風路４３に入り、還気風路４３に設けられた還気フィルター９２のエアーフィルター９４によって、屋内からの空気に含まれる塵埃が除去される。還気風路４３から排気室３１に入り、排気室３１に面している対向流型全熱交換器５の排気入口面１３から、対向流型全熱交換器室５の内部に入り、内部で屋外からの空気との間で全熱の移動が行われる。
【００６４】
熱交換が行われた、屋内からの空気は、対向流型全熱交換器５の内部を排気出口面１４から出て、排気出口面１４と隣接する排気風路入口室３２に入る。排気風路入口室３２に入った屋内からの空気は、排気風路入口室３２の下部に面している排気風路入口３３から排気風路７２に入る。排気風路７２には、熱交換器７６、調湿器７３、熱交換器７７が設けられており、熱交換器７６、調湿器７３、熱交換器７７を通過した後、排気風路出口３５から、排気用送風機収納室３６に入る。
【００６５】
排気用送風機収納室３６に入った屋内からの空気は、排気用送風機収納室３６に設けられた排気用送風機７ｂに吸い込まれると同時に送りだされ、排気出口風路４４を通過して、排気口５４から屋外に送られる。この一連の屋内からの空気の流れにより、塵埃を除去した後の屋内の汚れた空気が、屋外からの新鮮な空気に全熱が交換されると共に、屋内からの空気の廃熱の回収が可能な場合は廃熱を回収した後に屋外に排出される。
【００６６】
以上、本発明について、実施例に基づき説明してきたが、本発明は何らこれらの実施例の構成に限定するものではない。例えば実施例１や実施例２のダクト接続部５０の外気口５１、給気口５２、還気口５３や排気口５４の配置については、フィルター室４０内部での風路を変更することによって変えることも可能であり、対向流型全熱交換器室１０内部の六つの室の分割の方法や形状についても風路としての機能や、給気用送風機７ａや排気用送風機７ｂの外形によって変化させて実施可能である。
【符号の説明】
【００６７】
１、２：全熱交換器式換気扇
５：対向流型全熱交換器
６：対向流型全熱交換器室
７ａ：給気用送風機
７ｂ：排気用送風機
１０：対向流型全熱交換器室
１１：給気入口面
１２：給気出口面
１３：排気入口面
１４：排気出口面
１５、１６：仕切面
２０：風路室
２１：給気室
２２：給気風路入口室
２３：給気風路入口
２４、７１：給気風路
２５：給気風路出口
２６：給気用送風機収納室
３１：排気室
３２：排気風路入口室
３３：排気風路入口
３４、７２：排気風路
３５：排気風路出口
３６：排気用送風機収納室
４０：フィルター室
４１：外気風路
４２：給気出口風路
４３：還気風路
４４：排気出口風路
４６〜４９：側板
５０：ダクト接続部
５１：外気口
５２：給気口
５３：還気口
５４：排気口
６０：置き台
６１〜６９：仕切板
７０：調湿器室
７３：調湿器
７４、７６、７７：熱交換器
７５：調温用熱交換器
９０：エアーフィルター蓋
９１：外気フィルター
９２：還気フィルター
９３、９４：エアーフィルター
【図１】
2015087058.tif 000003
【図２】
2015087058.tif 000004
【図３】
2015087058.tif 000005
【図４】
2015087058.tif 000006
【図５】
2015087058.tif 000007
【図６】
2015087058.tif 000008
【図７】
2015087058.tif 000009
【図８】
2015087058.tif 000010